(57)【要約】【課題】冷陰極蛍光灯を用いた照明器において、リード線の冷陰極蛍光灯に対する浮遊容量の部分的変化量を極めて小さくすることができ、冷陰極蛍光灯の安定した良好な点灯状態が得られ、且つリード線の実装自由度が増すようにする。【解決手段】冷陰極蛍光灯１の端子の一方に陽極リード線２を接続し、他方に陰極リード線３を接続し、これらのリード線２、３を給電用のコネクタ４に接続する。そして、冷陰極蛍光灯１と接地側となる陰極リード線３との隙間に導電性の導電電位板５を冷陰極蛍光灯１のほぼ全長分に渡って設ける。【選択図】        図１
2005004966.tif 000002
【特許請求の範囲】
【請求項１】
冷陰極蛍光灯を用いる照明器において、冷陰極蛍光灯とその給電端子へのリード線との間に導電性の電位板を設けたことを特徴とする冷陰極蛍光灯照明器。
【請求項２】
導電性の電位板を冷陰極蛍光灯の反射板としたことを特徴とする請求項１に記載の冷陰極蛍光灯照明器。
【請求項３】
導電性の電位板にリード線を固定するガイドを設けたことを特徴とする請求項１または２に記載の冷陰極蛍光灯照明器。
【請求項４】
導電性の電位板を内部にリード線を収納可能な筒にしたことを特徴とする請求項１に記載の冷陰極蛍光灯照明器。
【発明の詳細な説明】
【０００１】
【発明の属する技術分野】
本発明は、冷陰極蛍光灯を用いる照明器、特に安定した良好な点灯状態が得られるようにした冷陰極蛍光灯照明器に関するものである。
【０００２】
【従来の技術】
この種の冷陰極蛍光灯を用いた照明器として、従来例えば、図４に示すようなものが知られている（特許文献１参照）。
【０００３】
これは、光源１１の端部に屈曲部を有する板状端子（電極）１２、１３をホルダ１４、１５内に設け、この端子１２、１３にリード線１６、１７を接続してコネクタ１８に導く構造を採用したもので、リード線１６、１７に引っ張る力がかかった場合には板状端子１２、１３の屈曲部がその力を吸収し、光源１１の電極部まで及ぶことがないようにしている。また、板状端子１２、１３を熱伝導性の良い材質で形成することにより、光源端部で発生した熱を外部に放熱させることができる。図５は単にリード線１６、１７を液晶表示装置等の本体１９上で光源１１の電極に接続した例を示している。
【０００４】
また、他の従来例として、図６〜図８に示すようなものが提案されている（特許文献２参照）。
【０００５】
図６では、ランプ２１の端部に導電端子２２、２３を設け、この端子２２、２３にリード線（図示せず）を接続する構造を採用しており、ランプ交換時のリード線処理の煩わしさがなくなるとともに、ランプ線からの漏れ電流の発生も防ぐことができる。図中、２４は複数のスリット２５を有した外郭部材、２６はそのスリット２５に嵌合する系合片７を有した配光制御部材である。
【０００６】
また、図７では、光源３１の端部のブッシング３２、３３内の電極に、単にリード線３４、３５を接続してコネクタ３６に導くようにしている。図８はその組込み例を示すもので、３７は光源３１を内蔵した外郭を兼ねた反射板、３８は導光板であり、これらはユニット化されている。
【０００７】
【特許文献１】
特開平１０−１８８６３９号公報
【特許文献２】
特開平１０−２６１３１１号公報
【０００８】
【発明が解決しようとする課題】
ところで、冷陰極蛍光灯を用いた照明器の管長全体を輝度むらのない点灯状態に保つ手段として、冷陰極蛍光灯の陰極へのリード線を冷陰極蛍光灯から十分距離を設けて配置しなければならないことは周知である。特に、冷陰極蛍光灯の管長が長くなるほど配慮が必要である。
【０００９】
しかしながら、図４及び図５に示すものについては、上記の配慮が全くなされていないため、短い管長の場合には問題のないレベルの点灯状態が保てるが、長い管長の冷陰極蛍光灯を点灯する場合には供給電力を過供給状態にしなければならない。
【００１０】
また、図６〜図８に示すものについては、ランプ線から漏れ電流が発生しやすいことが指摘され、導電端子を設けることによってランプ線を冷陰極蛍光灯の近傍からなくしているが、導電端子までの配線の状況については表記されず不問であり、根本的な解決にはなっていない。
【００１１】
冷陰極蛍光灯はグロー放電を利用した放電管であり、安定したグロー放電が行われることが輝度むらのない良好な点灯状態を保つことになる。このグロー放電の理想的な電位分布は図９に示すとおりであり、陽極付近の陽極降下をした後はファラデー暗部までプラズマ降下して、陰極降下する。
【００１２】
図１０にリード線の配線の悪い例を示す。コネクタに近い陽極リード線は問題ないが、冷陰極蛍光灯の陰極リード線が陽極側に近接あるいは接触すると、その近傍にファラデー暗部が発生し、放電が管長全域に渡らない。この場合、電気的には図１１に示すとおり、ファラデー暗部が陽極側に移動し、それより陰極側は負グロー領域になり、プラズマの発生が妨げられる。等価回路的には図１２に示すとおり、リード線の近接あるいは接触による浮遊容量Ｃｓが形成され、漏洩電流Ｉｓがバイパスされることによりプラズマが切れてしまう。
【００１３】
図１２の等価回路では、上記の陰極リード線と冷陰極蛍光灯との浮遊容量Ｃｓ及び漏洩電流Ｉｓの他に、陰極リード線インダクタンス及び冷陰極蛍光灯内の電極間容量を示している。また、陽極側を高電位として記したが、一般的には交流印加されて低電位にもなる。
【００１４】
そして、上記のような放電状態になると、冷陰極蛍光灯に封入されている水銀の励起状態も同様な状態になる。すなわち、グロー放電が十分でない領域においては、封入されている水銀も励起が不充分になり、本来あるべき十分な紫外線の発生も不充分な状態になって、冷陰極蛍光灯の発光体である蛍光体を励起することができなくなってしまう。その結果、蛍光体からの発光が得られなくなり、輝度むらが発生する。
【００１５】
本発明は、上記のような問題点に鑑みてなされたもので、リード線の冷陰極蛍光灯に対する浮遊容量の部分的変化量を極めて小さくすることができ、冷陰極蛍光灯の安定した良好な点灯状態が得られ、且つリード線の実装自由度が増した冷陰極蛍光灯照明器を提供することを目的としている。
【００１６】
【課題を解決するための手段】
本発明に係る冷陰極蛍光灯照明器は、冷陰極蛍光灯とその給電端子へのリード線との間に導電性の電位板を設けたものである。
【００１７】
また、上記導電性の電位板を冷陰極蛍光灯の反射板とし、更に、リード線を固定するガイドを設けたものであり、また、導電性の電位板を内部にリード線を収納可能な筒にしたものである。
【００１８】
【発明の実施の形態】
以下、本発明の実施例を図面について説明する。
【００１９】
図１は本発明の実施例の概略構成を示す図である。同図において、１は冷陰極蛍光灯、２、３はこの冷陰極蛍光灯１の端部電極とコネクタ（給電端子）４間に接続された陽極リード線、陰極リード線、５は冷陰極蛍光灯１とコネクタ４への陰極リード線３との間に設けられた導電性の導電電位板である。
【００２０】
冷陰極蛍光灯１の端子の一方には陰極リード線３が接続され、他方には陽極リード線２が接続されている。そして、冷陰極蛍光灯１と接地側となる陰極リード線３の隙間には導電電位板５が冷陰極蛍光灯１のほぼ全長分に渡って設けられている。
【００２１】
図２は図１に示す冷陰極蛍光灯照明器の電気的等価回路図である。図中、ＣＮ１は冷陰極蛍光灯１に電源電力を供給するためのコネクタ（コネクタ４）、Ｐ１は導電電位板（導電電位板５）、ＣＣＦＬ１は冷陰極蛍光灯（冷陰極蛍光灯１）、Ｌ１〜Ｌｎ＋３は陰極リード線３の分布等価インダクタンス、Ｃｌ１〜Ｃｌｎ＋４は陰極リード線１対導電電位板５間の分布等価浮遊容量、Ｃｐ１〜Ｃｐｎ＋３は導電電位板５対冷陰極蛍光灯１間の分布等価浮遊容量、Ｃ１〜Ｃｎ＋２は冷陰極蛍光灯１の電極間分布等価容量、Ｉｐ１〜Ｉｐｎ＋３は分布等価浮遊容量Ｃｐ１〜Ｃｐｎ＋３の漏洩電流、Ｉｌ１〜Ｉｌｎ＋４は分布等価浮遊容量Ｃｌ１〜Ｃｌｎ＋４の漏洩電流である。
【００２２】
ここで、図１のコネクタ４には一般的に交流が印加されるので、漏洩電流も交流となる。また、図２の電気的等価回路における抵抗分については、電気的影響度が低いことで省略している。
【００２３】
図３は図１のＡ−Ａ線断面図であり、ここでは冷陰極蛍光灯１、陰極リード線３及び導電電位板５のみを示している。同図の（ａ）は導電電位板５を平板とした例、（ｂ）は導電電位板５を陰極リード線３の配線ガイドとし且つ冷陰極蛍光灯１の反射板として成形した例、（ｃ）は導電電位板５を円筒にして陰極リード線３を収納する配線ダクトとした例をそれぞれ示している。
【００２４】
このように、本実施例では、冷陰極蛍光灯１と陰極リード線３の間に冷陰極蛍光灯１のほぼ全長に及ぶ導電電位板５を設けているので、陰極リード線３の冷陰極蛍光灯１に対する浮遊容量の部分的変化量を極めて小さくすることができ、冷陰極蛍光灯１の安定した良好な点灯状態が得られ、且つ陰極リード線３の実装自由度が増す。
【００２５】
表１に本実施例の電気的光学特性の一例を示す。表１では、冷陰極蛍光灯１の入力電流と輝度（色彩輝度計で測定）の関係を、導電電位板５が無い場合と有る場合、また陰極リード線３が近距離配線と遠距離配線の場合に分けて示している。近距離配線は、導電電位板５の有るものは導電電位板５の裏側に布線し、無いものは絶縁板（アクリル板）を使用し布線する。遠距離配線は、冷陰極蛍光灯（ＣＣＦＬ）１の電極部より管に垂直に引き出し、１５０ｍｍ以上離して布線する。
【００２６】
【表１】
2005004966.tif 000003
【００２７】
ここでは、導電電位板５の有無が陰極リード線３の布線状態によりどの程度影響するか、冷陰極蛍光灯１に電力を供給するインバータの入力電流値と冷陰極蛍光灯１の輝度値の変化率で比較している。
【００２８】
陰極リード線３を遠距離配線して冷陰極蛍光灯１への漏洩電流Ｉによる影響が無い状態を基準値１００％とすると、導電電位板無しでは入力電流値で−３７．１％、輝度値で−６６．５％となるが、導電電位板有りではそれぞれ−８．３％、−１０．６％となる。また、導電電位板有りでは入力電流値で２８．８ポイント、輝度値で５５．９ポイントの優位性がある。
【００２９】
なお、本発明は上記の実施例に限らず、冷陰極蛍光灯照明器全般に適用できるものである。例えば、ホームライティングとして、庭、テラス、勝手口、廊下、トイレ、リビング、ポーチ、内玄関など、省電力、長寿命で補助照明等が要求される照明器に利用でき、ビジネスライティングとして、テラス、ポーチ、クローゼットなどの集合住宅用照明器、及び飾り天井、飾り壁、デザイン壁などの一般建築用照明器に利用でき、また機器組込み用ライティングとして、自動販売機、看板などに広く利用できる。
【００３０】
【発明の効果】
以上説明したように、本発明によれば、リード線の冷陰極蛍光灯に対する浮遊容量の部分的変化量を極めて小さくすることができ、冷陰極蛍光灯の安定した良好な点灯状態が得られ、且つリード線の実装自由度が増すという効果が得られる。
【図面の簡単な説明】
【図１】本発明の実施例の構成を示す図
【図２】実施例の電気的等価回路図
【図３】図１のＡ−Ａ線断面図
【図４】従来例の構成を示す斜視図
【図５】従来例の構成を示す背面図
【図６】他の従来例の構成を示す分解斜視図
【図７】他の従来例の構成を示す斜視図
【図８】他の従来例の構成を示す斜視図
【図９】グロー放電の理想的な電位分布を示す説明図
【図１０】リード線の配線状態の悪い例を示す図
【図１１】図１０の状態のときの電位分布を示す説明図
【図１２】図１０の状態のときの等価回路図
【符号の説明】
１  冷陰極蛍光灯
２  陽極リード線
３  陰極リード線
４  コネクタ
５  導電電位板
【図１】
2005004966.tif 000004
【図２】
2005004966.tif 000005
【図３】
2005004966.tif 000006
【図４】
2005004966.tif 000007
【図５】
2005004966.tif 000008
【図６】
2005004966.tif 000009
【図７】
2005004966.tif 000010
【図８】
2005004966.tif 000011
【図９】
2005004966.tif 000012
【図１０】
2005004966.tif 000013
【図１１】
2005004966.tif 000014
【図１２】
2005004966.tif 000015